(57)【要約】【課題】キャップトレッドゴムをハイシリカ化した場合であっても、タイヤトレッドの電気抵抗値を低減することのできる、空気入りタイヤを提供する。【解決手段】ベルトカバー層が、タイヤ幅方向の一定範囲に、他の範囲に比べてナイロンコードの平均配設密度が低く、かつ、レイヨンを含む領域を有する。上記領域のタイヤ幅方向範囲は、少なくともアーストレッドゴムが形成されているタイヤ幅方向範囲を含む。【選択図】図１
2014151751.tif 000002
【特許請求の範囲】
【請求項１】
カーカス層と、前記カーカス層のタイヤ径方向外側に形成されたベルト層と、前記ベルト層のタイヤ径方向外側に形成され、ナイロンコードを含むベルトカバー層と、前記ベルトカバー層のタイヤ径方向外側に形成されたトレッドゴム層とを備え、
前記トレッドゴム層が、タイヤ径方向最外側に位置するとともに体積抵抗率が１０８［Ω・ｃｍ］以上であるキャップトレッドゴムと、前記キャップトレッドゴムのタイヤ径方向内側に位置するアンダートレッドゴムと、トレッド表面からタイヤ径方向内側に向かって少なくとも前記キャップトレッドゴムの一部を貫通するとともに、体積抵抗率が１０６［Ω・ｃｍ］以下であるアーストレッドゴムとを含み、
前記ベルトカバー層が、タイヤ幅方向の一定範囲に、他の範囲に比べてナイロンコードの平均配設密度が低く、かつ、レイヨンコードを含む領域を有し、
前記領域のタイヤ幅方向範囲が、少なくとも前記アーストレッドゴムが形成されているタイヤ幅方向範囲を含む
空気入りタイヤ。
【請求項２】
前記アーストレッドゴムのタイヤ幅方向寸法が０．３［ｍｍ］以上３．０［ｍｍ］以下であるとともに、前記ベルトカバー層のレイヨンコードを含む領域のタイヤ幅方向寸法が、前記アーストレッドゴムのタイヤ幅方向寸法よりも大きい、請求項１に記載の空気入りタイヤ。
【請求項３】
前記ベルトカバー層のレイヨンコードを含む領域のタイヤ幅方向寸法が１［ｍｍ］以上３０［ｍｍ］以下である、請求項１又は２に記載の空気入りタイヤ。
【発明の詳細な説明】
【技術分野】
【０００１】
本発明は、タイヤトレッドの電気抵抗値を低減した空気入りタイヤに関する。
【背景技術】
【０００２】
タイヤトレッドの電気抵抗値を低減する技術が知られている（例えば、特許文献１から３参照）。特許文献１から３に開示された技術は、いずれも、トレッド表面からベルト層に至るタイヤ径方向領域にアーストレッドゴムを形成して、タイヤトレッドの電気抵抗値を低減した技術である。
【先行技術文献】
【特許文献】
【０００３】
【特許文献１】特許第３２８７７９５号公報
【特許文献２】特許第３７６３６４０号公報
【特許文献３】特開２０００−１１８２１２号公報
【発明の概要】
【発明が解決しようとする課題】
【０００４】
近年、各種車両用タイヤにおいては、乾燥路面での操縦安定性能と、ウェット路面での排水性能とを、ともに高いレベルで改善するために、キャップトレッドゴムのハイシリカ化が進んでいる。このハイシリカ化によれば、キャップトレッドゴムの体積抵抗率が上昇するため、タイヤトレッドの電気抵抗値が上昇し、ひいてはタイヤトレッドから外部に静電気を放出する効果が低減する。従って、キャップトレッドゴムをハイシリカ化した場合であっても、タイヤトレッドの電気抵抗値を低減することのできる技術の開発が要請されている。
【０００５】
本発明は、上記事情に鑑みてなされたものであって、キャップトレッドゴムをハイシリカ化した場合であっても、タイヤトレッドの電気抵抗値を低減することのできる、空気入りタイヤを提供することを目的とする。
【課題を解決するための手段】
【０００６】
本発明に係る空気入りタイヤは、カーカス層と、上記カーカス層のタイヤ径方向外側に形成されたベルト層と、上記ベルト層のタイヤ径方向外側に形成され、ナイロンコードを含むベルトカバー層と、上記ベルトカバー層のタイヤ径方向外側に形成されたトレッドゴム層とを備える。上記トレッドゴム層は、タイヤ径方向最外側に位置するとともに体積抵抗率が１０８［Ω・ｃｍ］以上であるキャップトレッドゴムと、上記キャップトレッドゴムのタイヤ径方向内側に位置するアンダートレッドゴムと、トレッド表面からタイヤ径方向内側に向かって少なくとも上記キャップトレッドゴムの一部を貫通するとともに、体積抵抗率が１０６［Ω・ｃｍ］以下である、アーストレッドゴムとを含む。上記ベルトカバー層は、タイヤ幅方向の一定範囲に、他の領域に比べてナイロンコードの平均配設密度が低く、かつ、レイヨンコードを含む領域を有する。上記領域のタイヤ幅方向範囲は、少なくとも前記アーストレッドゴムが形成されているタイヤ幅方向範囲を含む。
【発明の効果】
【０００７】
本発明に係る空気入りタイヤでは、ベルトカバー層中での有機繊維（ナイロン及びレイヨン）コードの配設密度分布と、ベルトカバー層とアーストレッドゴムの位置関係とについて改良を加えている。その結果、本発明に係る空気入りタイヤは、キャップトレッドゴムをハイシリカ化した場合であっても、タイヤトレッドの電気抵抗値を低減することができる。
【図面の簡単な説明】
【０００８】
【図１】図１は、本発明の実施の形態に係る空気入りタイヤのトレッド部について、そのタイヤ赤道面付近の領域を示すタイヤ子午線断面図である。
【０００９】
以下に、本発明に係る空気入りタイヤの実施の形態（以下に示す、基本形態及び付加的形態１、２）を、図面に基づいて詳細に説明する。なお、これらの実施の形態は、本発明を限定するものではない。また、上記実施の形態の構成要素には、当業者が置換可能かつ容易なもの、或いは実質的に同一のものが含まれる。さらに、上記実施の形態に含まれる各種形態は、当業者が自明の範囲内で任意に組み合わせることができる。
【００１０】
［基本形態］
以下に、本発明に係る空気入りタイヤについて、その基本形態を説明する。以下の説明において、タイヤ径方向とは、空気入りタイヤの回転軸と直交する方向をいい、タイヤ径方向内側とはタイヤ径方向において回転軸に向かう側、タイヤ径方向外側とはタイヤ径方向において回転軸から離れる側をいう。また、タイヤ周方向とは、上記回転軸を中心軸とする周り方向をいう。さらに、タイヤ幅方向とは、上記回転軸と平行な方向をいい、タイヤ幅方向内側とはタイヤ幅方向においてタイヤ赤道面ＣＬ（タイヤ赤道線）に向かう側、タイヤ幅方向外側とはタイヤ幅方向においてタイヤ赤道面ＣＬから離れる側をいう。なお、タイヤ赤道面ＣＬとは、空気入りタイヤの回転軸に直交するとともに、空気入りタイヤのタイヤ幅の中心を通る平面である。
【００１１】
図１は、本発明の実施の形態に係る空気入りタイヤのトレッド部について、そのタイヤ赤道面付近の領域を示すタイヤ子午線断面図である。同図に示す空気入りタイヤは、そのトレッド部１０において、タイヤ径方向内側から外側に向かって順に、インナーライナー層１２、カーカス層１４、ベルト層１６、ベルトカバー層１８及びトレッドゴム層２０を備える。
【００１２】
インナーライナー層１２は、タイヤの空気を漏れにくくし、所定の空気圧を保つ部材である。カーカス層１４は、タイヤの骨格をなすコードを有し、主にタイヤの強度を決定する部材である。ベルト層１６は、２層のベルト１６ａ、１６ｂからなり、トレッド部１０に所定の剛性を与え、空気入りタイヤに、駆動力、旋回力及び制動力を発生させるとともに、路面からの衝撃を吸収し、さらにタイヤが遠心力に耐える役割を担う部材である。ベルトカバー層１８は、複数のナイロンコードを含み、特にタイヤの高速耐久性能を確保するための部材である。これらのうち、インナーライナー層１２、カーカス層１４及びベルト層１６（１６ａ、１６ｂ）については、従来用いられている部材を使用することができる。
【００１３】
また、トレッド部１０のタイヤ径方向最外側に位置するトレッドゴム層２０は、タイヤ幅方向中央部で左右に二分されているキャップトレッドゴム２０ａ、２０ａと、キャップトレッドゴム２０ａ、２０ａのタイヤ径方向内側に位置するアンダートレッドゴム２０ｂと、キャップトレッドゴム２０ａ、２０ａ間に位置してトレッド表面ＴＳからアンダートレッドゴム２０ｂに至るアーストレッドゴム２０ｃとから構成されている。
【００１４】
キャップトレッドゴム２０ａは、補強材としてカーボンブラックよりもシリカをリッチに配合するとともに、例えば、ゴム成分１００重量部に老化防止剤２〜４重量部を配合したゴム組成物とすることができる。キャップトレッドゴム２０ａの体積抵抗率は１０８ ［Ω・ｃｍ］より大きくなっている。
【００１５】
アンダートレッドゴム２０ｂは、カーボンブラックをリッチに配合するとともに、例えば、ゴム成分１００重量部に老化防止剤１〜３重量部を配合したゴム組成物とすることができる。アンダートレッドゴム２０ｂの体積抵抗率は１０８［Ω・ｃｍ］以下となっている。
【００１６】
アーストレッドゴム２０ｃは、カーボンブラックをリッチに配合するとともに、キャップトレッドゴム２０ａよりも老化防止剤を多量に配合したゴム組成物、例えば、ゴム成分１００重量部に老化防止剤４〜７重量部を配合したゴム組成物とすることができる。アーストレッドゴム２０ｃの体積抵抗率は１０６［Ω・ｃｍ］ 以下となっている。
【００１７】
アーストレッドゴム２０ｃは、図１に示す柱状をタイヤ周方向に連続的に形成することが、静電気放出効果が高いため好ましいが、タイヤ周方向に断続的に形成してもよい。また、図１では、アーストレッドゴム２０ｃは、そのタイヤ幅方向中心がタイヤ赤道面ＣＬと一致するように形成されているが、車両走行時のタイヤ接地領域に含まれるタイヤ幅方向位置であれば、いかなる位置に形成してもよい。
【００１８】
さらに、アーストレッドゴム２０ｃのタイヤ径方向最内側は、図１に示すように、アンダートレッドゴム２０ｂに接するように設計することができる。しかしながら、当該タイヤ径方向最内側は、アンダートレッドゴム２０ｃに完全に接触せずに離間していても、その距離が０．８ｍｍ以内であれば、アンダートレッドゴム２０ｂとアーストレッドゴム２０ｃとの間の導電性を維持することができる。
【００１９】
これに対し、図示しないが、アーストレッドゴム２０ｃを、キャップトレッドゴム２０ａのみならず、アンダートレッドゴム２０ｂも貫通させて、そのタイヤ径方向最内側をベルトカバー層１８に接するように設計することが好ましい。タイヤ転動時には、特にカーカス層１４がそのタイヤ径方向の隣接層と擦れることによって静電気が生じる。アーストレッドゴム２０ｃのタイヤ径方向最内側をベルトカバー層１８に隣接させた場合には、体積抵抗率の比較的低いアーストレッドゴム２０ｃを、静電気発生領域として見込まれるカーカス層１４に近づけることとなる。その結果、カーカス層１４周辺からトレッド表面ＴＳに至る、静電気の放出をより容易にすることができる。
【００２０】
以上のような前提の下、本実施の形態においては、図１に示すように、ベルトカバー層１８が、タイヤ幅方向の一定範囲ＷＢに、他の範囲に比べてナイロンコードの平均配設密度が低く、かつ、レイヨンコードを含む領域Ｒ（図１の斜線部分）を有する。ここで、ナイロンコード（レイヨンコード）の平均配設密度とは、タイヤ子午断面視でのベルトカバー層１８のタイヤ幅方向の一定範囲における、ベルトコード層１８の単位面積当たりのナイロンコード（レイヨンコード）配設本数により定義される値をいう。このため、例えば、領域Ｒにおけるナイロンコード（レイヨンコード）の平均配設密度は、図１の領域Ｒにおける、単位面積当たりのナイロンコード（レイヨンコード）の配設本数となる。
【００２１】
また、本実施の形態においては、領域Ｒのタイヤ幅方向範囲ＷＢが、少なくともアーストレッドゴム２０ｃが形成されているタイヤ幅方向範囲ＷＣを含む。ここで、領域Ｒのタイヤ幅方向範囲ＷＢがタイヤ幅方向範囲ＷＣを含むとは、領域Ｒのタイヤ幅方向最小寸法が、アーストレッドゴム２０ｃのタイヤ幅方向最大寸法以上となっていることを意味する。図１に示す例においては、領域Ｒのタイヤ幅方向最小寸法が、アーストレッドゴム２０ｃのタイヤ幅方向最大寸法と等しくなっている。
【００２２】
（作用等）
上述のとおり、タイヤ転動時には、特にカーカス層１４がそのタイヤ径方向の隣接層と擦れることによって静電気が生じる。この静電気がタイヤ内部に放置されると、無線受信機を含む車両においては静電気が電子回路の干渉源となるおそれがある。また、静電気によって火花が発生することで給油時の安全性が劣化するおそれもあり、さらには、車両乗降時に静電気が人体を通り、放電が起こるおそれもある。
【００２３】
これらの不所望な事態を想定して、タイヤ内部で発生した静電気を外部に放出し易くするため、本実施の形態においては、図１に示すように、ベルトカバー層１８のタイヤ幅方向の一定範囲ＷＢに、他の範囲に比べてナイロンコードの平均配設密度が低く、かつ、レイヨンコードを含む領域Ｒを設けている。これは、ゴム層に有機繊維コードを一定本数含ませる場合、ナイロンコードよりもレイヨンコードを含ませる方が、当該ゴム層の体積抵抗率は低くなる、との知見に基づく。従って、本実施の形態では、カーカス層１４周辺からトレッド表面ＴＳに至る静電気の放出経路において、ベルトカバー層１８のタイヤ幅方向の一部に、体積抵抗率の低い領域が設けられていることになる。
【００２４】
また、本実施の形態においては、図１に示すように、領域Ｒのタイヤ幅方向範囲ＷＢが、少なくともアーストレッドゴム２０ｃが形成されているタイヤ幅方向範囲ＷＣを含むようにしている。即ち、タイヤ子午断面視で、アーストレッドゴム２０ｃの形成領域の直下の領域には、ベルトカバー層１８の体積抵抗率の低い領域Ｒが必ず位置するようになっている。
【００２５】
このような、ベルトカバー層中での有機繊維（ナイロン及びレイヨン）コードの配設密度分布と、ベルトカバー層とアーストレッドゴムの位置関係とにより、カーカス層１４、ベルト層１６、ベルトカバー層１８の領域Ｒ、アンダートレッドゴム２０ｂ及びアーストレッドゴム２０ｃからなる、静電気をタイヤ外部に容易に放出する経路が形成される。換言すれば、本実施の形態の空気入りタイヤによれば、キャップトレッドゴムをハイシリカ化した場合であっても、タイヤトレッドの電気抵抗値を低減することができる。その結果、静電気がタイヤ内部に放置されることにより起こり得る、静電気による車両内部の電子回路への悪影響、給油時の安全性の劣化及び車両乗降時の人体への放電を抑制することができる。
【００２６】
加えて、図１に示す例においては、ベルトカバー層１８のレイヨンコードを含む領域Ｒについて、その他の領域との境界Ｂ（領域Ｒのタイヤ幅方向両外側）からタイヤ幅方向内側に向かってタイヤ赤道面ＣＬまで、ナイロンコードの配設密度を徐々に小さくするとともに、レイヨンコードの配設密度を徐々に大きくすることが好ましい。このような領域Ｒのタイヤ幅方向における、ナイロンコードの漸増配設態様とレイヨンコードの漸減配設態様との組み合わせによれば、タイヤ幅方向においてベルトカバー層１８の剛性が徐々に変化するため、操縦安定性能等を劣化させることを抑制することができる。
【００２７】
なお、以上に示す、本実施形態の空気入りタイヤは、図示しないが、従来の空気入りタイヤと同様の子午断面形状を有する。ここで、空気入りタイヤの子午断面形状とは、タイヤ赤道面ＣＬと垂直な平面上に現れる空気入りタイヤの断面形状をいう。本実施の形態の空気入りタイヤは、タイヤ子午断面視で、タイヤ径方向内側から外側に向かって、ビード部、サイドウォール部及びトレッド部を有する。そして、この空気入りタイヤは、例えば、タイヤ子午断面視で、キャップトレッドゴムとアンダートレッドゴムとによるゴム積層体の両側にウィングチップゴムを備える。ウィングチップゴムは、上記アーストレッドゴムと同一のゴム組成物とすることができる。
【００２８】
また、本実施の形態の空気入りタイヤは、通常の各製造工程、即ち、タイヤ材料の混合工程、タイヤ材料の加工工程、グリーンタイヤの成型工程、加硫工程及び加硫後の検査工程等を経て得られるものである。本実施の形態の空気入りタイヤを製造する場合には、特に、グリーンタイヤの成型工程において、ベルトカバー層の構成部材であるナイロンコードを含むゴム層を、タイヤ赤道面ＣＬ付近（領域Ｒ）では比較的疎に巻回する一方、その他の領域では比較的密に巻回する。また、グリーンタイヤの成型工程において、ベルトカバー層の構成部材であるレイヨンコードを含むゴム層を、タイヤ赤道面ＣＬ付近（領域Ｒ）のみに巻回する。これにより、ベルトカバー層中での有機繊維コードの配設密度分布を制御する。さらに、グリーンタイヤの成型工程において、アーストレッドゴムのタイヤ幅方向配設位置を、ベルトカバー層中でのレイヨンコードを含む領域のタイヤ幅方向位置内に収めて、ベルトカバー層とアーストレッドゴムの位置関係を制御する。
【００２９】
［付加的形態］
次に、本発明に係る空気入りタイヤの上記基本形態に対して、任意選択的に実施可能な、付加的形態１、２を説明する。
【００３０】
（付加的形態１）
基本形態においては、図１に示すアーストレッドゴム２０ｃのタイヤ幅方向寸法が０．３［ｍｍ］以上３．０［ｍｍ］以下であるとともに、ベルトカバー層１８のレイヨンコードを含む領域Ｒのタイヤ幅方向寸法が、アーストレッドゴム２０ｃのタイヤ幅方向寸法よりも大きいこと（付加的形態１）が好ましい。
【００３１】
アーストレッドゴム２０ｃのタイヤ幅方向寸法を０．３［ｍｍ］以上とすることで、比較的体積抵抗率の低いアーストレッドゴム２０ｃの配設領域を十分に確保して、タイヤトレッドの電気抵抗値をさらに低減することができる。また、アーストレッドゴム２０ｃは、キャップトレッドゴム２０ａよりも低硬度であることから接地面において先に摩滅するところ、上記タイヤ幅方向寸法を３．０［ｍｍ］以下とすることで、接地面での局所的な摩滅箇所を過大とせずに、操縦安定性能の劣化を抑制することができる。
【００３２】
また、静電気を外部に放出する経路を効率的に形成するには、ベルトカバー層１８の領域Ｒのタイヤ幅方向寸法と、アーストレッドゴム２０ｃのタイヤ幅方向寸法とを同一とし、かつ、領域Ｒとアーストレッドゴム２０ｃのタイヤ幅方向配設位置を完全に一致させることが好ましい。しかしながら、タイヤ幅方向寸法とタイヤ幅方向寸法とが同一である場合に、製品タイヤにおいて、領域Ｒのタイヤ幅方向配設位置とアーストレッドゴム２０ｃのタイヤ幅方向配設位置とを完全に一致させることは、グリーンタイヤの成型工程における諸々の作業に鑑みて、容易に成し得ることではない。
【００３３】
このため、付加的形態１では、グリーンタイヤの成型時に、製品タイヤの領域Ｒに対応するグリーンタイヤにおける領域に対して、製品タイヤのアーストレッドゴム２０ｃに対応するグリーンタイヤにおける部材を、正確に位置決めできるだけの寸法関係を、これらの領域及び部材に与えることを意図している。そして、このような寸法関係を与えた結果として、付加的形態１では、製品タイヤにおいて、領域Ｒのタイヤ幅方向寸法が、アーストレッドゴム２０ｃのタイヤ幅方向寸法よりも大きくなっていることを規定している。これにより、アーストレッドゴム２０ｃのタイヤ幅方向配設位置を、領域Ｒのタイヤ幅方向範囲ＷＢ内に確実に収めることができ、ベルトカバー層１８とアーストレッドゴム２０ｃの位置関係を確実に制御することができ、ひいては、静電気を外部に放出する経路を効率的に形成することができる。
【００３４】
（付加的形態２）
基本形態及び基本形態に付加的形態１を加えた形態においては、図１に示すベルトカバー層１８のレイヨンコードを含む領域Ｒのタイヤ幅方向寸法が１［ｍｍ］以上３０［ｍｍ］以下であること（付加的形態２）が好ましい。
【００３５】
ベルトカバー層１８のレイヨンコードを含む領域Ｒのタイヤ幅方向寸法を１［ｍｍ］以上とすることで、ベルトカバー層１８において体積抵抗率を低減した領域Ｒを十分に確保して、タイヤトレッドの電気抵抗値をさらに低減することができる。また、ゴム層にナイロンコードとレイヨンコードとを一定本数含ませた場合、ナイロンコード（レイヨンコード）の配設密度が低い（高い）領域が広いほど、このゴム層の剛性は低くなるところ、上記領域Ｒのタイヤ幅方向寸法を３０［ｍｍ］以下とすることで、ベルトカバー層１８の剛性の低減を抑制し、特に、操縦安定性能及び高速耐久性能の劣化を抑制することができる。
【実施例】
【００３６】
タイヤサイズを２２５／６５Ｒ１７とし、図１に示す構造のトレッド部１０を備え、特に、ベルトカバー層１８が、タイヤ幅方向の一定範囲ＷＢに、他の範囲に比べてナイロンコードの平均配設密度が低く、かつ、レイヨンコードを含む領域Ｒを有し、領域Ｒのタイヤ幅方向範囲ＷＢが、少なくともアーストレッドゴム２０ｃが形成されているタイヤ幅方向範囲ＷＣを含む、実施例１から４の空気入りタイヤをそれぞれ作製した。また、ベルトカバー層１８のナイロンコード配設密度がタイヤ幅方向全領域において均一であり、かつ、レイヨンコードを含まないこと以外は、各実施例と同様の構造を有する、従来例の空気入りタイヤを作成した。なお、実施例１から４及び従来例１の空気入りタイヤ（試験タイヤ）についての諸条件は、表１に示すとおりである。
【００３７】
このよう作製した、各試験タイヤについて、タイヤトレッドの電気抵抗値及び操縦安定性能を評価した。これらの結果を表１に併記する。
【００３８】
（電気抵抗値）
ＪＡＴＭＡに準拠し、各試験タイヤに空気圧２００ｋＰａを付与するとともに、荷重６．６７ｋＮを負荷した状態で、ヒューレッドパッカード社製のモデルＨＰ４３３９Ａハイレジスタンスメータを用いて、測定電圧５００Ｖを印加したときのタイヤトレッドの電気抵抗値を測定した。
【００３９】
（操縦安定性能）
各試験タイヤを１７ｘ７Ｊのリムに空気圧２３０ｋＰａで組み付け、排気量２４００ＣＣのセダン型車両（フロントエンジン・フロントドライブ方式）に装着し、乾燥路面を最高時速２４０ｋｍで走行した際の、パネラーによる官能性評価を実施した。そして、この測定結果に基づいて従来例を基準（１００）とした指数評価を行った。この評価は、指数が大きいほど、操縦安定性能が高いことを示す。
【００４０】
【表１】
2014151751.tif 000003
【００４１】
表１によれば、本発明の技術的範囲に属する（ベルトカバー層中での有機繊維（ナイロン及びレイヨン）コードの配設密度分布と、ベルトカバー層とアーストレッドゴムの位置関係とが所定の範囲内である）実施例１から実施例４の空気入りタイヤについては、いずれも、本発明の技術的範囲に属しない従来例の空気入りタイヤよりも、タイヤトレッドの電気抵抗値が低いことが判る。
【００４２】
また、表１によれば、実施例１から４の空気入りタイヤは、操縦安定性能について、従来例と同じレベルを保っていることが判る。一般に、ベルトカバー層中に、ナイロンコードの平均配設密度が低く、かつ、レイヨンコードを含む領域（図１の領域Ｒ）を設けると、ベルトカバー層の剛性が低下して、操縦安定性能の劣化が懸念される。しかしながら、本発明によれば、領域Ｒを設けたとしても、その他のトレッド構造を適宜設計変更することで、操縦安定性能を劣化させることなく、優れた電気抵抗値を発揮することができることが判る。
【００４３】
本発明は以下の態様を包含する。
【００４４】
（１）カーカス層と、上記カーカス層のタイヤ径方向外側に形成されたベルト層と、上記ベルト層のタイヤ径方向外側に形成され、ナイロンコードを含むベルトカバー層と、上記ベルトカバー層のタイヤ径方向外側に形成されたトレッドゴム層とを備え、上記トレッドゴム層が、タイヤ径方向最外側に位置するとともに体積抵抗率が１０８［Ω・ｃｍ］以上であるキャップトレッドゴムと、上記キャップトレッドゴムのタイヤ径方向内側に位置するアンダートレッドゴムと、トレッド表面からタイヤ径方向内側に向かって少なくとも上記キャップトレッドゴムの一部を貫通するとともに、体積抵抗率が１０６［Ω・ｃｍ］以下であるアーストレッドゴムとを含み、上記ベルトカバー層が、タイヤ幅方向の一定範囲に、他の範囲に比べてナイロンコードの平均配設密度が低く、かつ、レイヨンコードを含む領域を有し、上記領域のタイヤ幅方向範囲が、少なくとも上記アーストレッドゴムが形成されているタイヤ幅方向範囲を含む空気入りタイヤ。
【００４５】
（２）上記アーストレッドゴムのタイヤ幅方向寸法が０．３［ｍｍ］以上３．０［ｍｍ］以下であるとともに、上記ベルトカバー層の上記レイヨンコードを含む領域のタイヤ幅方向寸法が、上記アーストレッドゴムのタイヤ幅方向寸法よりも大きい、上記（１）に記載の空気入りタイヤ。
【００４６】
（３）上記ベルトカバー層のレイヨンコードを含む領域のタイヤ幅方向寸法が１［ｍｍ］以上２０［ｍｍ］以下である、上記（１）又は（２）に記載の空気入りタイヤ。
【符号の説明】
【００４７】
１０    トレッド部
１２    インナーライナー層
１４    カーカス層
１６    ベルト層
１６ａ、１６ｂ    ベルト
１８    ベルトカバー層
２０    トレッドゴム層
２０ａ    キャップトレッドゴム
２０ｂ    アンダートレッドゴム
２０ｃ    アーストレッドゴム
Ｂ    領域Ｒとその他の領域との境界
ＣＬ    タイヤ赤道面
Ｒ    ベルトカバー層１８の有機繊維コード１８ａの平均配設密度が低い領域
ＴＳ    トレッド表面
ＷＢ    ベルトカバー層１８のタイヤ幅方向一定範囲
ＷＣ    アーストレッドゴム２０ｃが形成されているタイヤ幅方向範囲
【図１】
2014151751.tif 000004